(57)【要約】【課題】  電子ペーパーＥＰを利用することにより、用紙の持つ長所と情報処理技術のもつ長所とを併せもった関連ドキュメントの閲覧環境を実現し、電子データで構成された複数のドキュメントをユーザがあたかも自由に手にとって操作しながら閲覧できる環境を実現する。【解決手段】  ドキュメント記憶手段４２、４３に予め複数のドキュメントの電子データをそれそれＩＤを付して互いに関連付けて記憶し、通信部４１が基準ドキュメントを表示する電子ペーパーＥＰからドキュメントＩＤを取得し、関連ドキュメント抽出手段４４，４５が取得したドキュメントＩＤに基づいて当該基準ドキュメントに関連するドキュメント電子データをドキュメント記憶手段４２、４３から抽出し、関連ドキュメント出力手段４８が抽出された関連ドキュメント電子データに基づいて他の電子ペーパーＥＰに当該関連ドキュメントを書き込み表示させる。【選択図】  図１
2005267219.tif 000002
【特許請求の範囲】
【請求項１】
ドキュメント画像を書き込み可能で当該ドキュメント画像を無電源状態で表示保持する表示部を有する電子ペーパーを利用して、基準となるドキュメントに関連するドキュメント画像を表示する関連ドキュメント閲覧システムであって、
複数のドキュメントの電子データをそれそれ識別情報を付して互いに関連付けて記憶したドキュメント記憶手段と、基準ドキュメントからその識別情報を取得する識別情報取得手段と、取得した前記ドキュメント識別情報に基づいて当該基準ドキュメントに関連するドキュメント電子データを抽出する関連ドキュメント抽出手段と、抽出された前記関連ドキュメント電子データに基づいて電子ペーパーに当該関連ドキュメント画像を書き込み表示させる関連ドキュメント出力手段と、を有することを特徴とする関連ドキュメント閲覧システム。
【請求項２】
ドキュメント画像を書き込み可能で当該ドキュメント画像を無電源状態で表示保持する表示部を有する電子ペーパーを利用して、基準となるドキュメントに関連するドキュメント画像を表示する関連ドキュメント閲覧システムであって、
基準ドキュメントは、当該基準ドキュメントに関連付けられた関連ドキュメントの識別情報を外部から取得可能に保持しており、
複数のドキュメントの電子データをそれそれ識別情報を付して記憶したドキュメント記憶手段と、前記基準ドキュメントから前記関連ドキュメント識別情報を取得する識別情報取得手段と、取得した前記ドキュメント識別情報に基づいて当該基準ドキュメントに関連するドキュメント電子データを抽出する関連ドキュメント抽出手段と、抽出された前記関連ドキュメント電子データに基づいて電子ペーパーに当該関連ドキュメント画像を書き込み表示させる関連ドキュメント出力手段と、を有することを特徴とする関連ドキュメント閲覧システム。
【請求項３】
請求項１又は請求項２に記載の関連ドキュメント閲覧システムにおいて、
前記基準ドキュメントと前記関連ドキュメント画像を書き込み表示する電子ペーパーとを配置するテーブルを有することを特徴とする関連ドキュメント閲覧システム。
【請求項４】
請求項３に記載の関連ドキュメント閲覧システムにおいて、
前記テーブルは、前記基準ドキュメントを中心として周辺に８つの電子ペーパーをマトリックス状に配置する形態であることを特徴とする関連ドキュメント閲覧システム。
【請求項５】
請求項３に記載の関連ドキュメント閲覧システムにおいて、
前記テーブルは、前記基準ドキュメントを中心として上下又は左右に電子ペーパーを配置する形態であることを特徴とする関連ドキュメント閲覧システム。
【請求項６】
請求項３乃至請求項５のいずれか１項に記載の関連ドキュメント閲覧システムにおいて、
前記テーブルは、前記基準ドキュメントの配置位置に当該基準ドキュメントからその識別情報を取得する識別情報取得手段が設けられていることを特徴とする関連ドキュメント閲覧システム。
【請求項７】
請求項３乃至請求項６のいずれか１項に記載の関連ドキュメント閲覧システムにおいて、
前記電子ペーパーは、データ通信を行う通信手段と、当該通信手段により取得したドキュメント電子データに基づいて前記表示部にドキュメント画像を書き込み表示する書き込み手段とを有しており、
前記テーブルは、電子ペーパーの配置位置に前記関連ドキュメント電子データを電子ペーパーに送信して当該関連ドキュメント画像を書き込み表示させる関連ドキュメント出力手段が設けられていることを特徴とする関連ドキュメント閲覧システム。
【請求項８】
請求項３乃至請求項６のいずれか１項に記載の関連ドキュメント閲覧システムにおいて、
前記電子ペーパーは、ドキュメント画像を投影することにより当該ドキュメント画像を表示保持する表示部を有しており、
前記テーブルは、電子ペーパーの配置位置に前記関連ドキュメント電子データに基づくドキュメント画像を電子ペーパーの表示部に投影して当該関連ドキュメント画像を書き込み表示させる関連ドキュメント出力手段が設けられていることを特徴とする関連ドキュメント閲覧システム。
【請求項９】
請求項１又は請求項２に記載の関連ドキュメント閲覧システムにおいて、
前記関連ドキュメント出力手段は、抽出された前記関連ドキュメント電子データに基づいて電子ペーパーに当該関連ドキュメント画像を書き込み表示させて排出する装置であることを特徴とする関連ドキュメント閲覧システム。
【請求項１０】
識別情報取得手段と関連ドキュメント抽出手段と関連ドキュメント出力手段とを備えた装置により、ドキュメント画像を書き込み可能で当該ドキュメント画像を無電源状態で表示保持する表示部を有する電子ペーパーを利用して、基準となるドキュメントに関連するドキュメント画像を表示する関連ドキュメント閲覧方法であって、
前記識別情報取得手段が、前記基準ドキュメントからその識別情報を取得し、
前記関連ドキュメント抽出手段が、取得した前記ドキュメント識別情報に基づいて当該基準ドキュメントに関連するドキュメント電子データを、複数のドキュメントの電子データをそれそれ識別情報を付して互いに関連付けて記憶したドキュメント記憶手段から抽出し、
前記関連ドキュメント出力手段が、抽出された前記関連ドキュメント電子データに基づいて電子ペーパーに当該関連ドキュメント画像を書き込み表示させることを特徴とする関連ドキュメント閲覧方法。
【請求項１１】
識別情報取得手段と関連ドキュメント抽出手段と関連ドキュメント出力手段とを備えた装置により、ドキュメント画像を書き込み可能で当該ドキュメント画像を無電源状態で表示保持する表示部を有する電子ペーパーを利用して、基準となるドキュメントに関連するドキュメント画像を表示する関連ドキュメント閲覧方法であって、
前記基準ドキュメントに、当該基準ドキュメントに関連付けられた関連ドキュメントの識別情報を外部から取得可能に付与し、
前記識別情報取得手段が、前記基準ドキュメントから前記関連ドキュメント識別情報を取得し、
前記関連ドキュメント抽出手段が、取得した前記ドキュメント識別情報に基づいて、複数のドキュメントの電子データをそれそれ識別情報を付して記憶したドキュメント記憶手段から当該基準ドキュメントに関連するドキュメント電子データを抽出し、
前記関連ドキュメント出力手段が、抽出された前記関連ドキュメント電子データに基づいて電子ペーパーに当該関連ドキュメント画像を書き込み表示させることを特徴とする関連ドキュメント閲覧方法。
【発明の詳細な説明】
【技術分野】
【０００１】
本発明は、ドキュメント画像を無電源状態で表示保持する電子ペーパーに、基準となるドキュメントに関連するドキュメント画像を表示保持させてユーザの閲覧に供する関連ドキュメント閲覧技術に関する。
【背景技術】
【０００２】
パーソナルコンピュータ等により構成される情報処理装置を利用して、画像やテキスト等の様々なメディアの電子データを扱って、ドキュメントの作成、編集、閲覧等がなされている。
このような電子データ化されているドキュメントは、一般的には、情報処理装置のディスプレイ画面に表示されて、或いは、紙媒体である用紙に印刷されて、ユーザの閲覧に供されている。
【０００３】
近年では、紙媒体である用紙にとって代わることが可能なドキュメント閲覧のための媒体として、ドキュメント画像を表示部に無電源状態で表示保持することができ且つ用紙の如く柔軟な薄型で持ち運び自在である電子ペーパーが開発されている。
電子ペーパーは、無電源状態でドキュメント画像を表示保持する表示部を有した装置であり、その表示部へのドキュメント画像の書き込み形式で大別すると、ドキュメント電子データに基づいて自己でドキュメント画像を表示部に書き込む機能を有する自己書き込み型電子ペーパーと、投影されたドキュメント画像を表示部に保持する光書き込み型電子ペーパーとがある。
このような電子ペーパーは、用紙と異なって表示部に表示保持したドキュメント画像を消去したり上書きすることが可能であり、表示保持するドキュメント画像を更新したり、繰り返し使用することができるので紙資源の節約等の観点からも利用促進が望まれている。
【０００４】
なお、パーソナルコンピュータに関する技術としてブラウザが知られており、パーソナルコンピュータにプロジェクタを接続してドキュメント画像を投影したり更には当該ドキュメントに関連するドキュメント画像を投影して、複数のユーザがドキュメントを閲覧することができる作業環境を構成することが行われている（非特許文献１参照。）。
また、パーソナルコンピュータに関する技術として、ディスプレイ画面の表示領域を９個のマトリックス状に区切り、中央領域に表示したドキュメント画像に関連するドキュメントの画像を周辺の領域に表示する技術が知られている（非特許文献２参照。）。
【非特許文献１】マイクロソフト社、「Internet Explorer」、インターネット＜URL：http://www.microsoft.com/japan/ie/＞
【非特許文献２】「マンダラート」、インターネット＜URL：http://www_Hlt66273244._Hlt66273244mandal-art.com/product.html＞
【発明の開示】
【発明が解決しようとする課題】
【０００５】
従来、電子データ化されたドキュメントの閲覧は、用紙への印刷又はディスプレイ画面等への表示といった方法によって行われているが、用紙印刷とディスプレイ画面表示とでは一長一短があった。特に、このような課題は、複数のユーザが関連するドキュメントを閲覧しながら作業し、更には、必要に応じて更に他の関連ドキュメントをも閲覧するといった自由な協同作業環境を実現しようとする場合に顕著であった。
【０００６】
すなわち、用紙へドキュメント画像を印刷する方法では、関連するドキュメントをそれぞれ印刷した複数の用紙を机の上等に並べて、同じ場所で複数のユーザがこれら関連ドキュメントを一覧的に閲覧し、しかも、これらドキュメント間の関連性を整理するために、各ユーザがドキュメント用紙を手にとって並べ替えるといったことが自由にできる作業環境を実現することができる反面、更に他の関連ドキュメントをも閲覧使用とした場合には、ドキュメントデータを情報処理装置から探し出して当該ドキュメント画像を用紙に印刷しなければならないといった煩雑な作業を行わなければならず、また、関連性があるであろうとして印刷したが必要がなかったドキュメントについては用紙を浪費してしまうことにもなっていた。
【０００７】
一方、ディスプレイ画面に表示する方法では、ユーザが情報処理装置を操作して種々なドキュメント画像を表示し、必要のないドキュメントは他のドキュメントに切換えることが容易にできる反面、複数のドキュメント画像を一覧的に表示して同じ場に居る複数のユーザがこれを閲覧することは困難であった。ディスプレイ画面に複数のウインドウを表示して、各ウインドウに異なるドキュメント画像を表示することは可能であるが、ディスプレイ画面のサイズといった限られた表示環境であるので、同時に複数のユーザが表示された複数のドキュメント内容を十分に視認するのは困難である。しかも、各ユーザが必要と思うドキュメント内容を見ようとする場合には、ユーザ間で情報処理装置の操作を交代する或いは操作しているユーザに頼むといった面倒な作業を行わなければならず、見たいドキュメントを即座に見るといったことができなかった。
【０００８】
本発明は、上記従来の事情に鑑みなされたもので、電子ペーパーを利用することにより、用紙の持つ長所と情報処理技術のもつ長所とを併せもった関連ドキュメントの閲覧環境を実現することを目的としている。
また、本発明は電子データで構成された複数のドキュメントを、ユーザがあたかも自由に手にとって操作しながら閲覧できる環境を実現することを目的としている。
【課題を解決するための手段】
【０００９】
本発明は、用紙又は電子ペーパーに表示保持させたドキュメントを基準として、当該基準ドキュメントから取得されるドキュメントの識別情報に基づいて、当該ドキュメントに予め関連付けられている関連ドキュメントを電子ペーパーに表示保持させて、これら関連ドキュメントを複数のユーザが自由に手にとって閲覧できる環境を実現する。更には、本発明は、関連ドキュメントを表示保持した電子ペーパーを新たな基準として、更に関連するドキュメントを電子ペーパーに表示保持させてユーザに提示し、関連性をたどって種々なドキュメントを資源の無駄を生ずることなく閲覧できる環境を実現する。
【００１０】
本発明では、ドキュメント記憶手段に予め複数のドキュメントの電子データをそれそれ識別情報を付して互いに関連付け（例えば、時系列、上位下位、共通キーワード等で関連付け）て記憶し、識別情報取得手段が基準ドキュメントからその識別情報を取得し（例えば、基準ドキュメントが電子ペーパーに表示保持されたドキュメント画像であれば電子ペーパーからドキュメントＩＤデータを受信し、基準ドキュメントが用紙に印刷したドキュメント画像であれば用紙に表示されたドキュメントＩＤコードを画像読み取りし）、関連ドキュメント抽出手段が取得したドキュメント識別情報に基づいて当該基準ドキュメントに関連するドキュメント電子データをドキュメント記憶手段から抽出し、関連ドキュメント出力手段が抽出された関連ドキュメント電子データに基づいて電子ペーパーに当該関連ドキュメント画像を書き込み表示させる（例えば、ドキュメント電子データを送信して表示部に自己書き込させて表示保持させる、ドキュメント画像を投影して表示部に表示保持させる）。
【００１１】
本発明では、上記の各機能手段は例えばサーバによって構成されるが、ドキュメント記憶手段をネットワーク状に分散するデータベースとして、関連ドキュメント抽出手段がこれらデータベースにアクセスして関連ドキュメント電子データを取得するようにしてもよい。
また、本発明では、電子ペーパーに関連ドキュメントの識別情報を保持させるようにしてもよく、この場合には、識別情報取得手段が基準ドキュメントから関連ドキュメント識別情報をデータ通信や画像読み取りで取得し、関連ドキュメント抽出手段が取得したドキュメント識別情報に基づいて当該基準ドキュメントに関連するドキュメント電子データをドキュメント記憶手段から抽出し、関連ドキュメント出力手段が抽出された関連ドキュメント電子データに基づいて電子ペーパーに当該関連ドキュメント画像を書き込み表示させる。なお、この場合におけるドキュメント記憶手段は、ドキュメント間の関連付けがなされずとも、複数のドキュメントの電子データをそれそれ識別情報を付して記憶したものでよい。
【００１２】
ここで、本発明の関連ドキュメント閲覧システムは、基準ドキュメントと関連ドキュメント画像を書き込み表示する電子ペーパーとを配置するテーブルを有するものとしてもよく、これによって基準ドキュメント及び電子ペーパーの存在範囲を限定して、基準ドキュメントからのドキュメント識別情報の取得や電子ペーパーへの関連ドキュメントの書き込みの精度を高めることができ、更には、関連ドキュメントを複数のユーザが自由に閲覧することができる作業場所を画成することができる。
【００１３】
ここで、本発明では識別情報読み取り手段は基準ドキュメントからドキュメント識別情報を取得できれば種々な態様で設けることができるが、上記取得や書き込みの観点から、本発明において好ましい態様としては、テーブルの基準ドキュメントの配置位置に基準ドキュメントからその識別情報を取得する識別情報取得手段が設けられ、また、電子ペーパーの配置位置にドキュメント電子データを送信する関連ドキュメント出力手段が設けられる。
また、本発明では関連ドキュメントの配置は特に限定はないが、上記閲覧の観点から、本発明において好ましい態様としては、テーブルを基準ドキュメントを中心として周辺に８つの電子ペーパーをマトリックス状に配置する形態として、基準ドキュメントの周囲に関連ドキュメントが表示されるようにしたり、或いは、テーブルを基準ドキュメントを中心として上下又は左右に電子ペーパーを配置する形態として、ドキュメント内容の上位下位の関連性や時系列の関連性をユーザが一目で把握できるようにする。
【００１４】
また、本発明において、電子ペーパーを、データ通信を行う通信手段と通信手段により取得したドキュメント電子データに基づいて表示部にドキュメント画像を書き込み表示する書き込み手段とを有した自己書き込み型とした場合、テーブルの電子ペーパーの配置位置に関連ドキュメント電子データを電子ペーパーに送信して当該関連ドキュメント画像を書き込み表示させる関連ドキュメント出力手段が設けられているのが好ましい。
また、本発明において、電子ペーパーを、ドキュメント画像を投影することにより当該ドキュメント画像を表示保持する表示部を有した光書き込み型とした場合、テーブルの電子ペーパーの配置位置に関連ドキュメント電子データに基づくドキュメント画像を電子ペーパーの表示部に投影して当該関連ドキュメント画像を書き込み表示させる関連ドキュメント出力手段が設けられているのが好ましい。
【００１５】
なお、本発明では、上記のようにテーブル上に平面的に配置した電子ペーパーに関連ドキュメントを表示させる態様の他に、関連ドキュメント出力手段を、抽出された関連ドキュメント電子データに基づいて電子ペーパーに当該関連ドキュメント画像を書き込み表示させて排出するプリンタの如き装置としてもよい。
【発明の効果】
【００１６】
本発明によると、電子ペーパーを利用して関連ドキュメントを閲覧するようにしたため、一覧性や操作性等といった用紙の持つ長所と、ドキュメント切り替えの容易性等といった情報処理技術のもつ長所とを併せもった関連ドキュメントの閲覧環境を実現することができる。すなわち、本発明によると、電子データで構成された複数のドキュメントを、ユーザがあたかも自由に手にとって操作しながら閲覧できる環境を実現することができる。
【発明を実施するための最良の形態】
【００１７】
本発明を実施例に基づいて具体的に説明する。
まず、ドキュメントを表示保持する媒体として本発明に用いられる電子ペーパーＥＰについて、図１２〜図１８に示す例を参照して具体的に説明する。
電子ペーパーＥＰには、表示情報の記録方式に違いにより大別して、図１２〜図１５に示す光書き込み型と、図１６〜図１８に示す自己書き込み型とがあり、いずれの形式にあっても電子ペーパーと称せられるように紙の様に薄型で柔軟性を有する装置である。
なお、下記に説明する電子ペーパーＥＰの諸機能は、後述する本発明を実施するシステム態様に応じて取捨選択して電子ペーパーＥＰに備えればよい。
【００１８】
図１２（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示記録する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２にドキュメント画像を無電源状態で表示記録して保持する。なお、表示部２の大きさは任意であり、また、表示部２と処理部３とを着脱可能として、例えばクリップ形式の処理部３を表示部２に装着して接続することにより電子ペーパーＥＰを構成するようにしてもよい。
【００１９】
処理部３には、後述するように表示部２を駆動する電圧を印加するための電極４、外部とデータ通信するための通信部（図示の例では無線部）５、電子データを読み書き自在に保持するメモリ６、後述するようにメモリ６に記憶したドキュメント識別情報（ドキュメントＩＤ）を無線部５から送受信する等の処理を行う制御部（ＣＰＵ）７、これら機能手段の駆動電力を供給するバッテリ８が設けられている。
なお、通信部５は、システムの実施構成に応じて、端子を接触させることによりデータ通信を行う形式や、赤外線等による光通信の形式であってもよい。
【００２０】
例えば、光書き込み型電子ペーパーＥＰは、図１３に示すように液晶パネル１０にドキュメントを画像として表示し、電極４に外部の電源から電圧を印加しながら光書き込み型電子ペーパーＥＰを液晶パネル１０に重ねて光を照射することにより、液晶パネル１０に表示させたドキュメント画像を表示部２に転写して記憶させることができる。
なお、電極４に電圧を印加しながら光書き込み型電子ペーパーＥＰにドキュメントを印刷した用紙を重ねて光を照射することによっても、ドキュメント画像を表示部２に転写して記憶させることもでき、要は、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００２１】
光書き込み型電子ペーパーＥＰは、表示部２の断面構造を表す図１５に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２２】
そして、光書き込み型電子ペーパーＥＰは、表示部２の動作原理を表す図１４に示すように、例えば画像書込み用の調光素子パネル（発光パネル）１０に転写するドキュメント画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されているドキュメント画像を上書きすることもでき、このような上書き処理によっても幾度も再使用することができる。
したがって、光書き込み型電子ペーパーＥＰは、紙のように薄く柔軟である性質に加えて、画像の投影により転写されたドキュメント画像を無電源保持する性質があるので、あたかもプリンタや複写機に使用する紙の如く用いることができ、しかも、繰り返し再使用することができる表示記録媒体である。
【００２３】
図１６（ａ）には自己書き込み型電子ペーパーＥＰを正面視して示し、同図（ｂ）には当該自己書き込み型電子ペーパーＥＰを側面視で示してある。図示の電子ペーパーＥＰはドキュメント画像を表示記録する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパーと同様に、例えばＡ４版の用紙のような大きさのフレキシブルな薄型表示装置であり、大部分の面積を占める表示部１２の一片に処理部１３が設けられている。なお、光書き込み型電子ペーパーと同様に、表示部１２の大きさは用途に応じた大きさのものとされ、また、表示部１２と処理部１３とを着脱可能として、例えばクリップ形式の処理部１３を表示部１２に装着して接続することにより電子ペーパーＥＰを構成するようにしてもよい。
【００２４】
処理部１３には、表示部１２を駆動するドライバ１４、外部とデータ通信するための通信部（図示の例では、無線部）１５、電子データを読み書き自在に保持するメモリ１６、後述するようにメモリ６に記憶したドキュメント識別情報（ドキュメントＩＤ）を無線部５から送受信する等の処理を行う制御部（ＣＰＵ）１７、これら機能手段の駆動電力を供給するバッテリ１８、ユーザ操作入力を受け付けるボタン等の操作部１９が設けられている。
なお、通信部１５は、システムの実施構成に応じて、端子を接触させることによりデータ通信を行う形式や、赤外線等による光通信の形式であってもよい。
【００２５】
更に、自己書き込み型電子ペーパーＥＰは、光書き込み型電子ペーパーとは異なって、メモリ１６に保持したドキュメント電子データに基づいてドライバ１４が表示部１２にドキュメント画像を書き込んで表示し、また、操作部１９からの操作入力や後述するように受信したドキュメントデータに応じたＣＰＵ１７による処理で、表示するドキュメント画像を切り換え変更することができ、ドライバ１４の駆動電力を除去しても表示部１２にドキュメント画像を表示状態で保持し続ける機能を有している。
【００２６】
自己書き込み型電子ペーパーＥＰは、表示部１２の断面構造を表す図１８に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２７】
そして、自己書き込み型電子ペーパーＥＰは、表示部１２の動作原理を表す図１７に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、電子データに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによる画像情報が表示される。なお、異なる電子データに基づいてドライバ１４を動作させることにより、白色粒子３１と黒色粒子３２とのコントラストにより表示部１２に表示される画像情報を切り換えることができ、幾度も再使用することができる。
したがって、自己書き込み型電子ペーパーＥＰは、紙のように薄く柔軟である性質に加えて、表示部１２に表示した画像情報を無電源保持する性質があるので、あたかも紙の如く用いることができる表示記録媒体である。
【００２８】
なお、光書き込み型や自己書き込み型等の形式を問わず、無線部５（１５）、メモリ６（１６）、バッテリ８（１８）等といった無線通信機能やメモリ機能部を電子ペーパーの表示部とは別の無線ＩＣタグとして構成し、当該無線ＩＣタグを電子ペーパーに取り付けることにより上記と同様な構成とするようにしてもよい。なお、無線ＩＣタグとした場合等において、バッテリ８（１８）はタグリーダーからの起電力を保持するコンデンサとするようにしてもよい。
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にコンテンツ画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーの表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００２９】
次に、本発明の実施例に係る関連ドキュメント閲覧システムを説明する。
まず、以下に説明する関連ドキュメント閲覧システムは、基準となるドキュメント（基準ドキュメント）に予め関連付けられているドキュメント（関連ドキュメント）は上記のような電子ペーパーＥＰに表示するが、システムを動作させて最初の基準ドキュメントは電子ペーパーＥＰに表示保持させる態様の他に、用紙に印刷した態様であってもよい。例えば、図３に示すように、用紙Ｐに基準となるドキュメント画像を印刷し、用紙Ｐに当該基準ドキュメント（本発明の他の実施例では関連ドキュメント）を識別するためのＩＤコード３７を印刷或いは貼り付け、このＩＤコード３７を読取装置３８によって画像読み取り等の手法でシステムサーバに入力するようにしてもよい。すなわち、最初の基準ドキュメントを表示保持する媒体には関連ドキュメントを書き込まないので、基準ドキュメントＩＤ又は関連ドキュメントＩＤをシステムサーバが取得可能に保持するものであればよい。
【００３０】
関連ドキュメントや基準ドキュメントを表示保持するために用いられる電子ペーパーＥＰは、光書き込み型と自己書き込み型とのいずれの形式も用いることができ、図１には光書き込み型電子ペーパーＥＰを用いた場合のシステムの機能構成を示し、図２には自己書き込み型電子ペーパーＥＰを用いた場合のシステムの機能構成を示してある。
なお、図１及び図２に示す実施例は基準ドキュメントの画像を電子ペーパーＥＰが表示保持するが、上記のように最初の基準ドキュメントは用紙が表示保持するようにしてもよい。また、図１及び図２に示す実施例は電子ペーパーＥＰが自己が表示保持しているドキュメントを識別するドキュメントＩＤを記憶するが、他の実施例としては、当該ドキュメントに予め関連付けられている関連ドキュメントを識別するドキュメントＩＤを記憶するようにする。
【００３１】
図１に示すシステムでは、光書き込み型電子ペーパーＥＰのメモリ６に表示部２が表示保持しているドキュメントのドキュメントＩＤが記憶され、当該ドキュメントを後述するようにして基準ドキュメントとすると、制御部７の制御によりメモリ６に記憶したドキュメントＩＤを無線部５からサーバ４０へ送信する。
サーバ４０は、電子ペーパーＥＰからドキュメントＩＤを受信する無線部４１、複数のドキュメント間の関連付けデータを予め記憶した関連付けデータメモリ４２、ドキュメントの電子データ及び発行日時やキーワード等の付加データを予め記憶したドキュメントデータメモリ４３を有している。
【００３２】
更に、サーバ４０には、無線部から受信したドキュメントＩＤに基づいて関連付けデータメモリ４２から関連ドキュメントのＩＤを検索する関連検索部４４、検索された関連ドキュメントＩＤに基づいてドキュメントデータメモリ４３から該当するドキュメント電子データ及び付加データを抽出する関連データ抽出部４５、抽出された付加データに基づいて関連ドキュメンの配置を決定する配置処理部４６、配置処理部４６から出力された表示対象の関連ドキュメントＩＤを無線部４１から電子ペーパーＥＰへ送信させるＩＤ書き込み部４７が、サーバを成すコンピュータに本発明の処理を実行するプログラムを実行させることにより構成されており、更に、配置処理部４６から出力された関連ドキュメントの電子データに基づいて関連ドキュメントの画像を決定された配置関係で発光パネルに表示する光書き込み部（プロジェクタ）４８を備えている。
なお、関連検索部４４と関連データ抽出部４５とにより、ドキュメントＩＤに基づいて当該基準ドキュメントに関連するドキュメント電子データを抽出する関連ドキュメント抽出手段を構成している。
【００３３】
本例の関連付けデータメモリ４２には、図７に示すように、ドキュメントＩＤ（文書番号）と当該ドキュメントに予め関連付けられた関連ドキュメントのＩＤ（関連文書番号）とを対応付けた多数のドキュメントに係る関連付けデータが記憶されており、また、各ドキュメントＩＤ毎に関連ドキュメントの関連度が予め設定されている。例えば、文書番号Ｄ１のドキュメントは文書番号Ｄ１１のドキュメントと最も高い関連度“１”で関連付けられており、文書番号Ｄ１５のドキュメントは文書番号Ｄ５８のドキュメントとかなり低い関連度“８”で関連付けられている。
【００３４】
本例のドキュメントデータメモリ４３には、図８に示すように、ドキュメントＩＤ（文書番号）、当該ドキュメントのタイトル名（タイトル）、当該ドキュメントの電子データファイル名（文書ファイル名）、当該ドキュメントに予め付与されたキーワード、当該ドキュメントの発行日時を対応付けた多数のドキュメントに係るドキュメントデータが記憶されている。なお、図示の例では、ドキュメント電子データを文書ファイル名で示して更に他のメモリ領域に格納されたドキュメント電子データを抽出できるようにしているが、当該文書ファイル名に代えて実データであるドキュメント電子データを対応付けて格納するようにしてもよい。
【００３５】
なお、上記のように関連付けデータとドキュメントデータとを分離した構成とすることにより、関連データ抽出手段４５にネットワークアクセス機能をもたせて、ドキュメントデータ（特に、ドキュメント電子データ及びそのＩＤ）をネットワーク上のファイルとして容易に利用することができる。
また、関連付けデータとドキュメントデータとを一体化して、データメモリ４２とドキュメントデータメモリ４３とを融合させた構成としてもよい。
【００３６】
ここで、上記のシステム構成は、サーバ４０が、電子ペーパーＥＰから無線通信で取得した当該表示保持しているドキュメントのＩＤに基づいて、関連ドキュメントを検索するものであるが、本発明の他の実施例として、サーバ４０がこのような関連ドキュメントの検索を行わない構成とすることもできる。
この場合には、電子ペーパーＥＰは現在表示部２に表示保持しているドキュメントに予め関連付けられている１又は複数の関連ドキュメントＩＤをＩＤメモリ６に記憶し、基準ドキュメントとされたときに、当該関連ドキュメントＩＤを無線部５からサーバ４０へ送信する。サーバ４０は、電子ペーパーＥＰから受信して取得した関連ドキュメントＩＤに基づいて、関連データ抽出部４５がドキュメントデータメモリ４３から該当するドキュメントデータ及び付加データを抽出して、上記と同様な処理により、抽出された関連ドキュメントのデータに基づいて他の電子ペーパーに関連ドキュメント画像を表示させる処理を行う。
【００３７】
また、上記実施例のように電子ペーパーＥＰが基準ドキュメントＩＤを送信する場合には、関連ドキュメントを表示する他の電子ペーパーＥＰに当該電子ペーパーが表示保持するドキュメントのＩＤがＩＤ書き込み部４７により送信されてＩＤメモリ６に記憶されるが、本実施例のように電子ペーパーＥＰが自己が表示保持しているドキュメントの関連ドキュメントＩＤを送信する場合には、関連ドキュメントを表示する他の電子ペーパーＥＰに当該電子ペーパーが表示保持するドキュメントに更に関連するドキュメントのＩＤがＩＤ書き込み部４７により送信されてＩＤメモリ６に記憶される。すなわち、関連検索部４４が、電子ペーパーＥＰから取得した関連ドキュメントＩＤに基づいて、関連付けデータメモリ４２を検索して当該関連ドキュメントに更に関連するドキュメントのＩＤを検索し、当該関連ドキュメントに関連するドキュメントＩＤを電子ペーパーＥＰに記憶させて、当該関連ドキュメントを表示する電子ペーパーが基準ドキュメントとされたときに備える。
【００３８】
図２に示すシステムでは、自己書き込み型電子ペーパーＥＰのメモリ１６に表示部１２が表示保持しているドキュメントのドキュメントＩＤが記憶され、当該ドキュメントを後述するようにして基準ドキュメントとすると、制御部１７の制御によりメモリ１６に記憶したドキュメントＩＤを無線部１５からサーバ４０へ送信する。
サーバ４０は、図１に示す構成と同様であるが、自己書き込み型電子ペーパーＥＰへ関連検索部４４や関連データ抽出部４５で抽出された関連ドキュメン電子データ及びドキュメントＩＤを無線部４１から送信するデータ提供部４９が備えられており、電子ペーパーＥＰに光書き込みするための手段４８は有していない。
【００３９】
ここで、上記の自己書き込み型電子ペーパーのシステム構成は、サーバ４０が、電子ペーパーＥＰから無線通信で取得した当該表示保持しているドキュメントのＩＤに基づいて、関連ドキュメントを検索するものであるが、本発明の他の実施例として、サーバ４０がこのような関連ドキュメントの検索を行わない構成とすることもできる。
この場合には、上記と同様に、電子ペーパーＥＰは現在表示部１２に表示保持しているドキュメントに予め関連付けられている１又は複数の関連ドキュメントＩＤをＩＤメモリ１６に記憶し、基準ドキュメントとされたときに、当該関連ドキュメントＩＤを無線部１５からサーバ４０へ送信する。サーバ４０は、電子ペーパーＥＰから受信して取得した関連ドキュメントＩＤに基づいて、関連データ抽出部４５がドキュメントデータメモリ４３から該当するドキュメントデータ及び付加データを抽出して、上記と同様な処理により、抽出された関連ドキュメントのデータを他の電子ペーパーに無線部４１から送信して関連ドキュメント画像を表示させる処理を行う。
【００４０】
また、上記実施例のように電子ペーパーＥＰが基準ドキュメントＩＤを送信する場合には、関連ドキュメントを表示する他の電子ペーパーＥＰに当該電子ペーパーが表示保持するドキュメントのＩＤがＩＤ書き込み部４７により送信されてＩＤメモリ１６に記憶されるが、本実施例のように電子ペーパーＥＰが自己が表示保持しているドキュメントの関連ドキュメントＩＤを送信する場合には、関連ドキュメントを表示する他の電子ペーパーＥＰに当該電子ペーパーが表示保持するドキュメントに更に関連するドキュメントのＩＤがＩＤ書き込み部４７により送信されてＩＤメモリ１６に記憶される。すなわち、関連検索部４４が、電子ペーパーＥＰから取得した関連ドキュメントＩＤに基づいて、関連付けデータメモリ４２を検索して当該関連ドキュメントに更に関連するドキュメントのＩＤを検索し、当該関連ドキュメントに関連するドキュメントＩＤを電子ペーパーＥＰに記憶させて、当該関連ドキュメントを表示する電子ペーパーが基準ドキュメントとされたときに備える。
【００４１】
図４〜図６には、サーバ４０が抽出された関連ドキュメント電子データに基づいて電子ペーパーＥＰに関連ドキュメントの画像を表示保持させる関連ドキュメント出力部を例示してある。
図４に例示する関連データ出力部は９枚の電子ペーパーＥＰ１〜ＥＰ９をマトリックス状に配置するテーブル５０であり、各電子ペーパーＥＰ１〜ＥＰ９を配置するための９つの配置位置として、基準位置Ｘ０と、基準位置の周囲に８つの位置Ｘ１〜Ｘ８が設定されている。
図４に示すテーブル５０では、光書き込み型電子ペーパーＥＰにドキュメント画像を表示保持させるために、配置位置Ｘ０〜Ｘ８を光書き込み部４８から構成される発光パネルとしており、これら表示位置Ｘ０〜Ｘ８に置かれた光書き込み型電子ペーパーＥＰに関連ドキュメントの画像を投影して表示部２に表示保持させるようになっている。
【００４２】
また、図４に示すテーブル５０では、基準位置Ｘ０及び配置位置Ｘ１〜Ｘ８に対応してサーバの無線部４１がそれぞれ設けられており、基準ドキュメントを置くための基準位置Ｘ０に置かれた電子ペーパーＥＰからドキュメントＩＤを受信取得し、表示位置Ｘ０〜Ｘ８に置かれた光書き込み型電子ペーパーＥＰへそれぞれ表示保持する関連ドキュメントのＩＤを送信してメモリ記憶させる。
なお、自己書き込み型電子ペーパーＥＰを用いるシステムの場合には、配置位置Ｘ１〜Ｘ８に光書き込み部４８を設ける必要はなく、また、配置位置Ｘ１〜Ｘ８に対応して設けられた無線部４１から各位置に置かれた自己書き込み型電子ペーパーＥＰに関連ドキュメント電子データも送信して、表示部１２に関連ドキュメント画像を表示保持させる。
【００４３】
図５に例示するテーブル５０は横長形状のものであり、位置Ｘ０に基準ドキュメントＤ１を表示保持する電子ペーパーＥＰを置くと、当該位置Ｘ０の左右の位置Ｘ１〜Ｘ８に置かれた電子ペーパーＥＰにそれぞれ無線部４１からデータを送信して関連ドキュメントの画像を表示保持させる。このようなテーブル形態では、例えば、各ドキュメントの発行日時情報（付加データ）に基づいて配置処理部４６が、基準位置Ｘ０の左方へは発行日時が基準ドキュメントより古い関連ドキュメントＤ１５、Ｄ１４、Ｄ１３、Ｄ１２、Ｄ１１を時系列に表示させ、基準位置Ｘ０の右方へは発行日時が基準ドキュメントより新しい関連ドキュメントＤ１６、Ｄ１７、Ｄ１８を時系列に表示させることができる。
また、同様にして、各ドキュメント間に上位下位といった概念の関連付けを予め設定してサーバに登録しておき、テーブル５０を縦長形状のものとして、基準位置Ｘ０の上方へは基準ドキュメントより上位の関連ドキュメントを順次表示させ、基準位置Ｘ０の下方へは基準ドキュメントより下位の関連ドキュメントを順次表示させるようにしてもよい。
【００４４】
なお、上記のようなテーブル５０を設けずに、机上や壁上に複数の電子ペーパーＥＰをマトリックス状や上下或いは左右に配置し、各電子ペーパーＥＰに対応するデータを無線部４１で送信して関連ドキュメントを表示保持させるようにしてもよい。この場合には、例えば、自己書き込み型電子ペーパーＥＰで、各電子ペーパーＥＰに自己を識別する装置ＩＤを付与しておき、サーバ４０と各電子ペーパーＥＰとがデータ通信をしてサーバ４０に各電子ペーパーを装置ＩＤにより認識させ、ユーザ操作によって基準ドキュメントを表示保持している電子ペーパーＥＰからドキュメントＩＤをサーバ４０に送信し、これに基づいて、サーバ４０が装置ＩＤを付加して電子ペーパーへデータ送信することにより、無線通信で所定の電子ペーパーＥＰに関連ドキュメントに係るデータを送信して関連ドキュメントを表示保持させればよい。
【００４５】
図６に例示する関連データ出力部はプリンタ形式の装置５１であり、電子ペーパーＥＰにデータを出力して関連ドキュメントを表示保持させる書き込み機能に加えて、基準ドキュメントを表示保持する電子ペーパーＥＰからドキュメントＩＤを取得する機能も備えている。
なお、この書き込み機能は、光書き込み電子ペーパーであればドキュメント画像投影機構であり、自己書き込み型電子ペーパーであれば端子接続や無線によるドキュメント電子データ送信機能である。また、ドキュメントＩＤ取得機能は、電子ペーパーから端子接続や無線によりドキュメントＩＤ（基準ドキュメントＩＤ又は関連ドキュメントＩＤ）を受信するデータ通信機能、又は、基準ドキュメントを印刷した用紙ＰのＩＤコード３７を読み取る機構である。
【００４６】
図６に示す装置５１は、基準ドキュメントＤ１を表示保持して電子ペーパーＥＰ（又は用紙Ｐ）を装置５１の読み取り位置に置くと、当該電子ペーパーＥＰからドキュメントＩＤ（基準ドキュメントＩＤ又は関連ドキュメントＩＤ）を取得してサーバ４０に提供し、サーバ４０から検索抽出されて出力されるデータの基づいて、必要な数の電子ペーパーＥＰにそれぞれ関連ドキュメントＤ１１〜Ｄ１８の画像を表示保持させて出力する。
【００４７】
次に、上記構成のシステムによる関連ドキュメント閲覧処理を図９〜図１２を参照して説明する。
なお、図１０には電子ペーパーＥＰが基準ドキュメントＩＤをサーバ４０に提供する構成におけるサーバ４０の処理手順を示し、図１１は電子ペーパーＥＰが関連ドキュメントＩＤをサーバ４０に提供する構成におけるサーバ４０の処理手順を示しており、まず、前者のサーバ４０が電子ペーパーＥＰから基準ドキュメントＩＤを取得する場合について説明する。
【００４８】
まず、図９の左側に示すように、９枚の電子ペーパーＥＰがマトリックス状に配置されてそれぞれドキュメントＤ１、Ｄ１１〜Ｄ１８を表示部に表示保持している状態で、同図の右側に示すように、ユーザが右下隅に配置されていたドキュメントＤ１５を表示保持している電子ペーパーＥＰを基準位置であるマトリックスの中央位置に置き換えたとする。
このように基準位置に置かれたドキュメントＤ１５はこの時点で基準ドキュメントとなり、サーバ４０側からの送信要求に応じて、基準電子ペーパーＥＰがメモリ６（１６）に記憶している自己が表示部２（１２）に表示保持しているドキュメントのＩＤ（基準ドキュメントＩＤ）を無線部５（１５）から送信し、サーバ４０が無線部４１により当該基準ドキュメントＩＤを受信して取得する（ステップＳ１）。
【００４９】
そして、サーバ４０では、関連検索部４４が関連付けデータメモリ４２を検索して基準ドキュメントＩＤに関連付けられている関連ドキュメントＩＤ及び関連度を抽出し（ステップＳ２）、関連データ抽出部４５が関連ドキュメントＩＤに該当するドキュメント電子データ及び発行日時情報等の付加データをドキュメントデータメモリ４３から抽出する（ステップＳ３）。
なお、関連検索部４４又は関連ドキュメント抽出部４５には関連ドキュメントＩＤ又は関連ドキュメント電子データを抽出する最大数が予め設定されており、図９に示すように、基準ドキュメントの周囲に８つの関連ドキュメントを表示する場合には、関連検索部４４又は関連ドキュメント抽出部４５は最大で８つの関連ドキュメントＩＤ又は関連ドキュメント電子データを抽出する。
【００５０】
そして、サーバ４０では、配置処理部４６が関連度や発行日時情報等の付加データに基づいて、抽出された関連ドキュメントデータを基準ドキュメントＤ１５の周囲に配置されているいずれの電子ペーパーＥＰに表示させるかを決定し（ステップＳ４）、光書き込み型電子ペーパーＥＰであれば光書き込み部４８により各電子ペーパーの表示部２に関連ドキュメントの画像を投影して表示保持させ、自己書き込み型電子ペーパーＥＰであれば通信部４１から関連ドキュメント電子データを送信して各電子ペーパーに表示部１２への書き込み表示をさせる（ステップＳ５）。また、この書き込み処理（ステップＳ５）において、電子ペーパーに表示保持させる関連ドキュメントのＩＤを通信部４１から送信してＩＤメモリ６（１６）に記憶させて、各電子ペーパーに自己が表示保持しているドキュメントのＩＤを記憶させる。
【００５１】
ここで、配置処理部４６により決定された配置となるように関連ドキュメントを対応する電子ペーパーＥＰに表示させるには、図４に示したように、各電子ペーパーＥＰに対応する位置に関連ドキュメント画像を表示させる、また、各電子ペーパーＥＰに対応する位置の通信部４１からデータを送信するようにすればよく、また、サーバ４０側で各電子ペーパーの装置ＩＤを把握しておいて、サーバ４０から送信されたデータを装置ＩＤで指定された電子ペーパーだけが受信するシステム構成とすればよい。
【００５２】
図１１に示すように、電子ペーパーＥＰが関連ドキュメントＩＤをサーバ４０に提供する実施例の処理では、サーバ４０側からの送信要求に応じて、基準電子ペーパーＥＰが、自己が表示保持しているドキュメントに予め関連付けられている関連ドキュメントＩＤをメモリ６（１６）から読み出して無線部５（１５）から送信し、サーバ４０が無線部４１により当該関連ドキュメントＩＤを受信して取得する（ステップＳ１１）。
なお、メモリ６（１６）に記憶される関連ドキュメントＩＤの最大数は予め設定されており、図９に示すように、基準ドキュメントの周囲に８つの関連ドキュメントを表示する場合には、最大で８つの関連ドキュメントＩＤがメモリ６（１６）に記憶されて上記のようにしてサーバ４０に提供される。
【００５３】
そして、サーバ４０では、関連検索部４４が関連付けデータメモリ４２を検索して関連ドキュメントＩＤに対応する関連度情報を抽出するとともに、関連データ抽出部４５が受信した関連ドキュメントＩＤに該当するドキュメント電子データ及び発行日時情報等の付加データをドキュメントデータメモリ４３から抽出する（ステップＳ１２）。
そして、サーバ４０では、ステップＳ４と同様な配置処理を配置処理部４６が行って（ステップＳ１３）、光書き込み型電子ペーパーＥＰと自己書き込み型電子ペーパーＥＰとに対応した方式で関連ドキュメントを周辺に配置された各電子ペーパーに表示保持させ、また、電子ペーパーに表示保持させるドキュメント（関連ドキュメント）に予め関連付けられているドキュメントのＩＤを通信部４１から送信してＩＤメモリ６（１６）に記憶させて、各電子ペーパーに自己が表示保持しているドキュメントのＩＤを記憶させる（ステップＳ１４）。
【００５４】
上記のように、いずれの方法によっても、図９の右側に示すように、ドキュメントＤ１５の周囲に置かれた電子ペーパーに関連ドキュメントが表示保持される。
したがって、ドキュメント画像を表示保持した任意の電子ペーパーＥＰをマトリックスの中央に置き換えて基準ドキュメントとすることにより、当該基準ドキュメントに関連するドキュメントが周辺の電子ペーパーに表示保持され、電子ペーパーの有する書き換え機能により、このような操作を繰り返して行うことができる。
【図面の簡単な説明】
【００５５】
【図１】本発明の実施例に係る光書き込み型電子ペーパーを用いた関連ドキュメント閲覧システムの機能構成図である。
【図２】本発明の実施例に係る自己書き込み型電子ペーパーを用いた関連ドキュメント閲覧システムの機能構成図である。
【図３】本発明の実施例に係る基準ドキュメントを印刷した用紙を説明する図である。
【図４】本発明の実施例に係る関連ドキュメント出力手段の一例を示す図である。
【図５】本発明の実施例に係る関連ドキュメント出力手段の一例を示す図である。
【図６】本発明の実施例に係る関連ドキュメント出力手段の一例を示す図である。
【図７】本発明の実施例に係る関連付けデータを説明する図である。
【図８】本発明の実施例に係るドキュメントデータを説明する図である。
【図９】本発明の実施例に係る関連ドキュメントの閲覧操作を説明する図である。
【図１０】本発明の実施例に係るサーバの処理手順を示す図である。
【図１１】本発明の実施例に係るサーバの処理手順を示す図である。
【図１２】光書き込み型電子ペーパーの一例を示す図である。
【図１３】光書き込み型電子ペーパーの使用方法を説明する図である。
【図１４】光書き込み型電子ペーパーの動作原理を説明する図である。
【図１５】光書き込み型電子ペーパーの構造を説明する図である。
【図１６】自己書き込み型電子ペーパーの一例を示す図である。
【図１７】自己書き込み型電子ペーパーの動作原理を説明する図である。
【図１８】自己書き込み型電子ペーパーの構造を説明する図である。
【符号の説明】
【００５６】
ＥＰ：電子ペーパー、  Ｐ：用紙、
２、１２：表示部、  ５、１５：通信部（無線部）、
６、１６：ＩＤメモリ、  ７、１７：制御部、
４０：サーバ、  ４１：通信部（無線部）、
４２：関連付けデータメモリ、  ４３：ドキュメントデータメモリ、
４４：関連検索部、  ４５：関連データ抽出部、
４６：配置処理部、  ４７：ＩＤ書き込み部、
４８：光書き込み部、  ４９：データ提供部、
５０：テーブル、  ５１：読取書込装置、
【図１】
2005267219.tif 000003
【図２】
2005267219.tif 000004
【図３】
2005267219.tif 000005
【図４】
2005267219.tif 000006
【図５】
2005267219.tif 000007
【図６】
2005267219.tif 000008
【図７】
2005267219.tif 000009
【図８】
2005267219.tif 000010
【図９】
2005267219.tif 000011
【図１０】
2005267219.tif 000012
【図１１】
2005267219.tif 000013
【図１２】
2005267219.tif 000014
【図１３】
2005267219.tif 000015
【図１４】
2005267219.tif 000016
【図１５】
2005267219.tif 000017
【図１６】
2005267219.tif 000018
【図１７】
2005267219.tif 000019
【図１８】
2005267219.tif 000020